(57)【要約】【課題】  付け爪（Ａ１）は、基材（１）が、透明材料からなり、基材（１）の凸面（１ａ）上には、装飾模様２が形成されている。このことにより、装飾模様（２）は、凹面（１ｂ）側の模様として表れ、かつその形成が容易である。好ましくは、装飾模様（２）には、白色の不透明層（３）が形成されている。このことにより、使用者が好みの模様を凸面（１ａ）側に施すことができる。【特許請求の範囲】
【請求項１】
厚さ方向に離間する凸面および凹面を有する基材を備える付け爪であって、
上記基材は、透明材料からなり、
上記凸面上には、上記基材を介して上記凹面側から視認するための装飾模様が形成されていることを特徴とする、付け爪。
【請求項２】
上記装飾模様上には、不透明層がさらに形成されている、請求項１に記載の付け爪。
【請求項３】
上記不透明層は、白色である、請求項２に記載の付け爪。
【発明の詳細な説明】
【技術分野】
【０００１】
本発明は、人の生爪に接着することにより、指先を装飾するための付け爪に関する。
【背景技術】
【０００２】
おもに女性の指先を装飾するものに、いわゆるネイルアートがある。このネイルアートの一手法として、付け爪を用いることが普及している。付け爪には、人の生爪が長くなったように見せる、あるいは、表面に施された模様により華やかな印象を与える、などの効果がある。また、付け爪を生爪に接着した後に付け爪の表面に好みの模様を施すことが、一般需要者の間にも広まりつつある。【０００３】
このような付け爪としては、図５に示すものがある（たとえば特許文献１参照）。本図に示された付け爪Ｘは、湾曲形状の基材９１を備えており、その凹面９１ｂ上に装飾模様９２が形成されている。この装飾模様９２は、花柄などの模様として視認されるものである。付け爪Ｘを生爪に接着する際には、凹面９１ｂの図中左端寄りの部分と生爪の先端寄りの部分とを接着する。これにより、生爪の表側には、付け爪Ｘの凸面９１ａが繋がることとなる。凸面９１ａは無地であるため、好みの模様を付することが可能である。一方、生爪の裏側には、凹面９１ｂの図中右側部分が延出することとなる。したがって、生爪があたかも長くなったように見せるとともに、生爪の裏側に花柄模様が施されたように見せかけることができる。したがって、付け爪Ｘには、ネイルアートを手軽に楽しめるという利点がある。【０００４】
しかしながら、装飾模様９２を凹面９１ｂに塗布することは、凸面９１ａに塗布する場合と比べて困難である。たとえば、筆やエアブラシを用いた手作業によって塗布することは可能であるが、印刷機械などを用いた自動塗布は現実的ではない。これが原因となって、付け爪Ｘの製造工程は、完全に自動化するには至っていない。したがって、コスト低減が阻害され、付け爪Ｘを一般需要者に広く普及させる上で問題となっていた。【０００５】
【特許文献１】特開２００３−２４５１２１号公報
【発明の開示】
【発明が解決しようとする課題】
【０００６】
本発明は、上記した事情のもとで考え出されたものであって、裏側に模様が表されているにもかかわらず、自動生産に適した付け爪を提供することをその課題とする。
【課題を解決するための手段】
【０００７】
上記課題を解決するため、本発明では、次の技術的手段を講じている。【０００８】
本発明によって提供される付け爪は、厚さ方向に離間する凸面および凹面を有する基材を備える付け爪であって、上記基材は、透明材料からなり、上記凸面上には、上記基材を介して上記凹面側から視認するための装飾模様が形成されていることを特徴としている。【０００９】
本発明の好ましい実施の形態においては、上記装飾模様上には、不透明層がさらに形成されている。【００１０】
本発明の好ましい実施の形態においては、上記不透明層は、白色である。
【図面の簡単な説明】
【００１１】
【図１】本発明に係る付け爪の第１実施形態を示す全体斜視図である。
【図２】本発明に係る付け爪の第１実施形態を示す全体斜視図である。
【図３】図１のＩＩＩ−ＩＩＩ線に沿う断面図である。
【図４】本発明に係る付け爪の第２実施形態を示す全体斜視図である。
【図５】従来の付け爪の一例を示す全体斜視図である。
【発明を実施するための最良の形態】
【００１２】
以下、本発明の好ましい実施の形態につき、図面を参照して具体的に説明する。【００１３】
図１〜図３は、本発明に係る付け爪の第１実施形態を示している。本実施形態の付け爪Ａ１は、基材１と、基材１上に積層された装飾模様２および不透明層３とを備えている。【００１４】
基材１は、凸面１ａおよび凹面１ｂを有する湾曲形状であり、透明樹脂からなる。透明樹脂としては、アクリル系樹脂、ポリエチレン樹脂、ポリ塩化ビニル樹脂、エポキシ樹脂、ポリカーボネート系樹脂などがある。図２において、凸面１ａが向いている図中上側が、付け爪Ａ１の表側であり、凹面１ｂが向く図中下側が、付け爪Ａ１の裏側である。また、基材１は、厚肉部１１および薄肉部１２を有している。厚肉部１１は、指Ｆの生爪Ｎと同程度の厚さとされており、生爪Ｎが長くなったように見せるための部分である。薄肉部１２の裏側は、接着面１ｃとされている。付け爪Ａ１を生爪Ｎに対して接着する際には、接着面１ｃを生爪Ｎの先端寄りの部分に接着する。厚肉部１１と薄肉部１２との間には段差がある。この段差を生爪Ｎの先端に沿わせることにより、付け爪Ａ１を生爪Ｎに対して容易に位置合わせすることができる。付け爪Ａ１を生爪Ｎに接着した後には、指Ｆや生爪Ｎの形状に合わせて、厚肉部１１を適宜切断してもよい。【００１５】
基材１の凸面１ａ上には、装飾模様２が形成されている。装飾模様２は、たとえば、アクリル系塗料を塗布することにより形成されている。図３に示すように、付け爪Ａ１の裏側から向かってきた光は、凹面１ｂから入射し、基材１を透過して装飾模様２により反射され、再び基材１を透過して凹面１ｂから出射していく。それゆえ、装飾模様２は、付け爪Ａ１の裏側の模様として視認される。本実施形態においては、装飾模様２は、互いに色が異なる複数種類のアクリル系塗料を用いて、これらを蛇行した縞状に塗布することにより形成されている。これにより、図１に示すように、付け爪Ａ１の裏側には、縞状の模様が表れている。【００１６】
装飾模様２上には、不透明層３が形成されている。不透明層３は、たとえば、アクリル系塗料を塗布することにより形成される。本実施形態においては、白色のアクリル系塗料が用いられている。図３に示すように、付け爪Ａ１の表側から向かってきた光は、不透明層３により反射され、装飾模様２には達しない。このため、付け爪Ａ１の表側には、装飾模様２が模様としては視認できない。たとえば、付け爪Ａ１の使用者が不透明層３の表面に好みの模様を施せば、これが付け爪Ａ１の表側の模様となる。【００１７】
次に、付け爪Ａ１の作用について説明する。【００１８】
本実施形態によれば、装飾模様２が、付け爪Ａ１の裏側の模様として視認される。装飾模様２は、基材１の凸面１ａ上に形成されるために、塗布することが比較的容易である。たとえば、凹面１ｂに装飾模様２を塗布する場合と比べて、より細かい模様を塗布することが可能である。また、複数色の塗料を用いて、これらを複数回塗布する場合には、各色の塗料を適切な位置に塗布しやすい。これにより模様がずれることを防止して、模様を鮮明に塗布することができる。したがって、付け爪Ａ１の裏側に、鮮明かつ緻密な模様を表すことが可能であり、装飾性を高めることができる。【００１９】
また、装飾模様２は、凸面１ａ上に形成されるため、たとえばインクジェットまたは熱転写などの印刷手法を用いて塗布することが容易である。このため、付け爪Ａ１の製造工程を自動化することができる。したがって、コストの低減を図ることが可能であり、付け爪Ａ１を一般需要者に広く普及させることができる。【００２０】
不透明層３が白色であることにより、凸面１ａに模様を施すための塗料としてより多くの色の塗料を使用することが可能である。したがって、使用者は、付け爪Ａの凸面１ａに自由に模様を付することができる。一方、不透明層３は、白色であれば、さらにその上に様々な模様を塗布するのに適しているが、たとえば、黄色や桃色など、白色以外としてもよい。このようにすれば、白色のものとは別意の美観を創出することができる。【００２１】
図４は、本発明に係る付け爪の第２実施形態を示している。なお、第２実施形態については、上記第１実施形態について既述した要素と同一または類似の要素を同一符号で示し、その説明を適宜省略する。【００２２】
本実施形態の付け爪Ａ２は、第１実施形態の付け爪Ａ１における不透明層３が形成されていない点が付け爪Ａ１と異なる。すなわち、付け爪Ａ２は、基材１と基材１の凸面１ａ上に形成された装飾模様２とからなる。本実施形態の装飾模様２は、複数の樹脂が塗布されたものであり、複数の紋状模様と、これの背景としての砂状模様とを表している。本実施形態から理解されるように、本発明でいう装飾模様２は、凸面１ａの全てを覆うものに限定されず、その一部を覆うものであってもよい。また、装飾模様２は、複数の領域に分割されていてもよい。【００２３】
本実施形態によれば、装飾模様２により付け爪Ａ２の表側と裏側との両側に同じ模様が表れる。このため、使用者がさらに凸面１ａ上に模様を塗布しなくても、指先を華やかに見せることが可能である。したがって、付け爪Ａ２によれば、指先の装飾をより手軽に楽しむことができる。また、使用者の好みにより、装飾模様２を覆い隠すように不透明な樹脂などを塗布すれば、その時々の気分に応じた外観とすることができる。【００２４】
本発明に係る付け爪は、上述した実施形態に限定されるものではない。本発明に係る付け爪の各部の具体的な構成は、種々に設計変更自在である。【００２５】
付け爪は、上述した実施形態のように、生爪の先端部分のみを覆うように装着するタイプに限定されず、生爪の全体を覆うタイプであってもよい。不透明層としては、無地のものを形成すれば、使用者の好みに応じた模様を付するといった使い方が可能となるが、本発明はこれに限定されず、不透明層自体が、複数色の塗料からなるものであってもよい。さらに、不透明層上に模様が施されていてもよい。
【図１】
2006095418.tif 000002
【図２】
2006095418.tif 000003
【図３】
2006095418.tif 000004
【図４】
2006095418.tif 000005
【図５】
2006095418.tif 000006
【国際調査報告】
2006095418.tif 000007
2006095418.tif 000008
2006095418.tif 000009